(57)【要約】【課題】１Ｆ反転駆動法では、１Ｆ期間に亘って同じ極性の信号電圧を信号線に書き込むことになるため、カップリングに起因するクロストークの発生を抑えることができず、またシェーディングが発生する。【解決手段】画素２０が行列状に２次元配置されてなる画素アレイ部１１を具備するアクティブマトリクス型液晶表示装置において、画素アレイ部１１を垂直方向において複数の領域（本例では、２つの領域１１Ａ，１１Ｂ）に分割する一方、これら複数の領域を行単位で順番に（本例では、交互に）垂直走査しつつ、複数の領域の各画素を行単位で選択して、この選択した行の各画素に対して１Ｈごとに極性が反転する映像信号Ｖｓｉｇを書き込むようにする。【選択図】図１
2005338152.tif 000002
【特許請求の範囲】
【請求項１】
電気光学素子を含む画素が行列状に２次元配置され、垂直方向において複数の領域に分割されてなる画素アレイ部と、
前記複数の領域を行単位で順番に垂直走査しつつ、前記複数の領域の各画素を行単位で選択する垂直駆動手段と、
前記垂直駆動手段によって選択された行の各画素に対して１水平期間ごとに極性が反転する映像信号を書き込む水平駆動手段と
を備えたことを特徴とする表示装置。
【請求項２】
前記画素アレイ部が垂直方向においてＮ個（Ｎは２以上の整数）に分割されており、
前記垂直駆動手段は、Ｎ個の垂直駆動回路を有し、
前記Ｎ個の垂直駆動回路は、前記画素アレイ部を分割せずに順に走査する際に用いる第１の垂直スタートパルスおよび第１の垂直クロックパルスの各パルス幅に対してＮ倍のパルス幅を持つ第２の垂直スタートパルスおよび第２の垂直駆動クロックに基づいて、前記画素を行単位で選択するためのドライブパルスを順に発生する
ことを特徴とする請求項１記載の表示装置。
【請求項３】
Ｎ＝２であり、２つの垂直駆動回路は各々、
前記第２の垂直スタートパルスに応答して前記第２の垂直駆動クロックに同期して転送動作を行い、各転送段から転送パルスを順次出力するシフトレジスタと、
前記シフトレジスタから出力される自段の転送パルスおよび次段の転送パルスと、前記第２の垂直クロックパルスの周期の１／２Ｎの周期で、かつ前記第２の垂直クロックパルスのパルス幅の１／２Ｎよりも狭いパルス幅のイネーブルパルスとの論理積をとる第１の論理積回路群と、
前記第２の垂直クロックパルスに対して周期が同じで、位相が９０度ずれた互いに逆相の第３の垂直クロックパルスの各々と前記第１の論理積回路群の各出力パルスとの論理積をとる第２の論理積回路群とを有し、
前記イネーブルパルスは、前記２つの垂直駆動回路間で位相が１８０度ずれている
ことを特徴とする請求項２記載の表示装置。
【請求項４】
電気光学素子を含む画素が行列状に２次元配置され、垂直方向において複数の領域に分割されてなる画素アレイ部を有する表示装置の駆動方法であって、
前記複数の領域を行単位で順番に垂直走査しつつ、前記複数の領域の各画素を行単位で選択する第１のステップと、
前記第１のステップで選択した行の各画素に対して１水平期間ごとに極性が反転する映像信号を書き込む第２のステップと
を有することを特徴とする表示装置の駆動方法。
【発明の詳細な説明】
【技術分野】
【０００１】
本発明は、表示装置および表示装置の駆動方法に関し、特に電気光学素子を含む画素が行列状に２次元配置されてなる表示装置および当該表示装置の駆動方法に関する。
【背景技術】
【０００２】
電気光学素子を含む画素が行列状に２次元配置されてなる表示装置、例えば電気光学素子として液晶セルを用いてなる液晶表示装置では、液晶セルに長時間に亘って直流電圧を印加し続けると、液晶の比抵抗（物質固有の抵抗値）等の劣化や、「焼き付き」と呼ばれる残像現象を引き起こすため、液晶セルの対向電極の電位に対して画素電極に印加される信号電圧の極性を所定の周期で反転させる交流駆動法が採られている。
【０００３】
この交流駆動法としては、液晶セルの対向電極に印加するコモン電圧Ｖｃｏｍを一定にして、信号電圧Ｖｓｉｇの極性を１Ｈ（Ｈは水平期間）ごとに反転させる１Ｈ反転駆動法や、液晶セルの対向電極に印加するコモン電圧Ｖｃｏｍを一定にして、信号電圧Ｖｓｉｇの極性を１Ｆ（Ｆはフィールド期間、即ち画面の繰り返し期間を言う）ごとに反転させる１Ｆ反転駆動法などが知られている（例えば、特許文献１参照）。
【０００４】
ところで、液晶表示装置においては、信号電圧Ｖｓｉｇを画素に書き込むための信号線と、液晶セルの対向電極にコモン電圧Ｖｃｏｍを各画素共通に与えるためのコモン線とが交差しており、信号線とコモン線との間には寄生容量が存在するため、信号線に信号電圧Ｖｓｉｇを書き込む際に、当該寄生容量によるカップリングによって信号電圧Ｖｓｉｇがコモン線に飛び込み、コモン線の電位が信号電圧Ｖｓｉｇと同じ極性の方向に揺れ、クロストークが発生する。
【０００５】
このような問題に対して、１Ｈ反転駆動法では、信号電圧Ｖｓｉｇが書き込まれる信号線の電位が１Ｈごとに反転することにより、カップリングによるコモン線の電位の揺れをライン（画素行）間で相殺することができるため、カップリングに起因するクロストークの発生を抑えることができる。
【０００６】
【特許文献１】特開２００１−４２２８７号公報
【発明の開示】
【発明が解決しようとする課題】
【０００７】
しかし、１Ｆ反転駆動法では、コントラストを向上できるとともに、ＶＡ(Viewing Angle;垂直配向)液晶を用いた長寿命化が可能になるというメリットがある反面、１Ｆ期間に亘って同じ極性の信号電圧Ｖｓｉｇを信号線に書き込むことになることから、カップリングによるコモン線の電位の揺れをライン間で相殺することができないため、カップリングに起因するクロストークの発生を抑えることができない。
【０００８】
また、画素電位と信号線電位との電位差が大きい場合に、画素のスイッチング素子、例えばＴＦＴ（(Thin Film Transistor;薄膜トランジスタ)では、ソース／ドレインの形状が違うことによってリークが生じ、そのリーク量が１画面内で異なるため、図１１に示すように、画質劣化の原因となるシェーディングが発生する。具体的には、例えば図１２に示すように、コモン電圧Ｖｃｏｍが７．５Ｖで、信号線電位がＨ側１０．０Ｖ／Ｌ側５．０Ｖ（中間調）の場合を例に挙げると、画面上部Ａ、画面中央部Ｂ、画面下部Ｃでリーク期間が違うことにより、１画面内でのリーク量が異なるため、画面上部Ａではリークの影響はほとんどなく、画面中央部Ｂではリークの影響で若干白っぽくなり、画面下部Ｃではリークの影響で白っぽくなり、シェーディングが発生する。
【０００９】
本発明は、上記課題に鑑みてなされたものであって、その目的とするところは、１Ｆ反転駆動法のメリットであるコントラストの向上とＶＡ液晶を用いた長寿命化を図りつつ、クロストークやシェーディングの発生を抑制可能とした表示装置および表示装置の駆動方法を提供することにある。
【課題を解決するための手段】
【００１０】
上記目的を達成するために、本発明では、電気光学素子を含む画素が行列状に２次元配置され、垂直方向において複数の領域に分割されてなる画素アレイ部を有する表示装置において、前記複数の領域を行単位で順番に垂直走査しつつ、前記複数の領域の各画素を行単位で選択し、この選択した行の各画素に対して１水平期間（１Ｈ）ごとに極性が反転する映像信号を書き込む構成を採っている。
【００１１】
上記構成の表示装置において、複数の領域を行単位で順番に、例えば２分割の場合には２つの領域を交互に垂直走査しつつ、複数の領域の各画素を行単位で選択することで、各領域ではそれぞれ１Ｆ反転駆動を実現できる。また、選択行の各画素に対しては、１Ｈごとに極性が反転する映像信号を書き込むことで、１Ｈ反転駆動を実現できる。その結果、１Ｆ反転駆動法のメリットと１Ｈ反転駆動法のメリットとを享受できる。
【発明の効果】
【００１２】
本発明によれば、１Ｆ反転駆動法のメリットと１Ｈ反転駆動法のメリットとを享受できるため、コントラストの向上とＶＡ液晶を用いた長寿命化を図りつつ、クロストークやシェーディングの発生を抑制することができる。
【発明を実施するための最良の形態】
【００１３】
以下、本発明の実施の形態について図面を参照して詳細に説明する。
【００１４】
図１は、本発明の一実施形態に係る表示装置の構成の概略を示すブロック図である。ここでは、画素の電気光学素子として液晶セルを用いたアクティブマトリクス型液晶表示装置を例に挙げて説明するものとする。
【００１５】
図１から明らかなように、本実施形態に係るアクティブマトリクス型液晶表示装置は、画素アレイ部１１、例えば２つの垂直駆動回路１２Ａ，１２Ｂおよび水平駆動回路１３を有する構成となっている。画素アレイ部１１は、電気光学素子である液晶セルを含む画素２０が、透明絶縁基板、例えばガラス基板（図示せず）上に行列状に２次元配置され、この行列状（ｍ行ｎ列）の画素配列に対して行ごとに走査線１３−１〜１３−ｍが、列ごとに信号線１４−１〜１４−ｎがそれぞれ配線された構成となっている。ガラス基板は別のガラス基板（図示せず）と所定の間隙を持って対向配置され、これら２枚のガラス基板間に液晶材料が封止されることによって液晶パネルが形成されることになる。
【００１６】
図２は、画素（画素回路）２０の回路構成の一例を示す回路図である。図２から明らかなように、画素２０は、画素トランジスタ、例えばＴＦＴ(Thin Film Transistor;薄膜トランジスタ)２１と、このＴＦＴ２１のドレイン電極に画素電極が接続された液晶セル２２と、ＴＦＴ２１のドレイン電極に一方の電極が接続された保持容量２３とを有する構成となっている。ここで、液晶セル２２は、画素電極とこれに対向して形成される対向電極との間で発生する液晶容量を意味する。
【００１７】
ＴＦＴ２１はゲート電極が走査線１４（１４−１〜１４−ｍ）に接続され、ソース電極が信号線１５（１５−１〜１５−ｎ）に接続されている。また、例えば、液晶セル２２の対向電極および保持容量２３の他方の電極がコモン線１６に対して各画素共通に接続されている。そして、液晶セル２２の対向電極には、コモン線１６を介してコモン電圧（対向電極電圧）Ｖｃｏｍが各画素共通に与えられる。
【００１８】
ｍ行ｎ列の画素配列の画素アレイ部１１は、例えば垂直方向（図の上下方向）の中間で上下に２分割されている。すなわち、ライン数（行数）ｎの１／２をｉ（＝ｎ／２）とすると、画素アレイ部１１は、１行目〜ｉ行目の上側画素部１１Ａと、ｉ＋１行目〜ｎ行目の下側画素部１１Ｂとに分割されている。なお、画素アレイ部１１の上下方向における分割は、２分割に限られるものではなく、上下方向において均等なライン数にて３分割、４分割、……等、任意に設定可能である。
【００１９】
垂直駆動回路１２Ａ，１２Ｂおよび水平駆動回路１３を含む周辺回路は、例えば画素アレイ部１１と同じ基板（液晶パネル）上に集積される。垂直駆動回路１２Ａ，１２Ｂは、画素アレイ部１１の分割数に対応した数だけ設けられ、走査線１６−１〜１６−ｎを介して画素アレイ部１１の各画素２０を行単位で順次選択する。本発明では、垂直駆動回路１２Ａ，１２Ｂの具体的な構成およびを特徴とするものであり、その詳細については後で詳細に説明する。
【００２０】
なお、ここでは、２つの垂直駆動回路１２Ａ，１２Ｂを画素アレイ部１１の左右の一方側に配置し、走査線１６−１〜１６−ｎを片側から駆動する構成を採っているが、画素アレイ部１１の左右両側に配置し、走査線１６−１〜１６−ｎを両側から駆動する構成を採ることも可能である。
【００２１】
水平駆動回路１３は、例えばシフトレジスタやアナログスイッチ等によって構成されており、垂直駆動回路１２Ａ，１２Ｂによって順に選択された行の各画素２０に対して、外部から与えられる映像信号Ｖｓｉｇを、信号線１５−１〜１５−ｍを介して画素単位（点順次）あるいは行単位（線順次）にて書き込む。なお、水平駆動回路１３から信号線１５−１〜１５−ｍに出力される映像信号Ｖｓｉｇの極性は、１Ｈ（Ｈは水平期間）ごとに反転するものとする。
【００２２】
次に、本発明の特徴部分である垂直駆動回路１２Ａ，１２Ｂの具体的な構成および動作について説明する。
【００２３】
垂直駆動回路１２Ａ，１２Ｂは各々、基本的に、シフトレジスタ、ＮＡＮＤ回路、インバータ等の論理回路の組み合わせによって構成されることになる。これら垂直駆動回路１２Ａ，１２Ｂには、垂直走査の開始を指令する垂直スタートパルスＶＳＴおよび垂直走査の基準となる互いに逆相の垂直クロックパルスＶＣＫ，ＶＣＫＸが与えられる。
【００２４】
なお、垂直スタートパルスＶＳＴおよび垂直クロックパルスＶＣＫ，ＶＣＫＸの各周期としては、本例では画素アレイ部１１を２分割し、２つの垂直駆動回路１２Ａ，１２Ｂによって垂直走査する構成を採っていることから、画素アレイ部１１の各画素２０を１つの垂直駆動回路によって垂直走査する構成を採る場合に用いる垂直スタートパルスおよび垂直クロックパルスの周期の２倍に設定される。因みに、画素アレイ部１１をＮ分割（Ｎ＝３，４，…）する場合は、垂直スタートパルスＶＳＴおよび垂直クロックパルスＶＣＫ，ＶＣＫＸの各周期を、上記垂直スタートパルスおよび垂直クロックパルスの周期のＮ倍に設定すれば良い。
【００２５】
図３は、上側画素部１１Ａの各画素を垂直走査する垂直駆動回路１２Ａの構成の一例を示すブロック図である。ここでは、図面の簡略化のために、上側画素部１１Ａの１行目、２行目の画素行を選択するためのドライブパルスＶ１，Ｖ２を生成する回路部分のみの構成を示すものとする。
【００２６】
図３において、シフトレジスタ３１は、画素アレイ部１１のライン数（行数）ｍに対応したｍ／２段の転送段（Ｓ／Ｒ）３１−１，３１−２，…が縦続接続され、垂直スタートパルスＶＳＴが与えられることで、互いに逆相の垂直クロックパルスＶＣＫ，ＶＣＫＸに同期して転送（シフト）動作を行い、各転送段３１−１，３１−２，…から転送パルスＴＲ１Ａ，ＴＲ２Ａを順次出力する。自段の転送段３１−１の転送パルスＴＲ１Ａと次段の転送段３１−２の転送パルスＴＲ２Ａは、３入力ＮＡＮＤ回路３２にその２入力として与えられる。ＮＡＮＤ回路３２には、残りの１入力としてイネーブルパルスＥＮＢ１が与えられる。イネーブルパルスＥＮＢ１は、垂直クロックパルスＶＣＫの周期の１／４の周期で、かつ垂直クロックパルスＶＣＫのパルス幅の１／４よりも狭いパルス幅のパルス信号である。
【００２７】
ＮＡＮＤ回路３２の出力パルスは、インバータ３３で反転された後、２入力ＮＡＮＤ回路３４，３５に各一方の入力として与えられる。ＮＡＮＤ回路３４には、他方の入力として垂直クロックパルスｖｃｋが与えられる。ＮＡＮＤ回路３５には、他方の入力として垂直クロックパルスｖｃｋと逆相の垂直クロックパルスｖｃｋｘが与えられる。垂直クロックパルスｖｃｋ，ｖｃｋｘは、垂直クロックパルスＶＣＫ，ＶＣＫＸに対して周期が同じで、位相が９０度ずれたパルス信号である。ＮＡＮＤ回路３４，３５の各出力パルスは、上側画素部１１Ａの１行目、２行目の各行を選択するためのドライブパルスＶ１，Ｖ２として１行目、２行目の走査線１４−１，１４−２をそれぞれ駆動する。
【００２８】
図４は、下側画素部１１Ｂの各画素を垂直走査する垂直駆動回路１２Ｂの構成の一例を示すブロック図である。ここでは、図面の簡略化のために、下側画素部１１Ｂのｉ行目、ｉ＋１行目の画素行を選択するためのドライブパルスＶｉ，Ｖｉ＋１を生成する回路部分のみの構成を示すものとする。
【００２９】
図４において、シフトレジスタ４１は、シフトレジスタ３１と同様に、ｍ／２段の転送段（Ｓ／Ｒ）４１−１，４１−２，…が縦続接続され、垂直スタートパルスＶＳＴが与えられることで、即ちシフトレジスタ３１と同じタイミングで垂直クロックパルスＶＣＫ，ＶＣＫＸに同期して転送動作を開始し、各転送段４１−１，４１−２，…から転送パルスＴＲ１Ｂ，ＴＲ２Ｂを順次出力する。自段の転送段４１−１の転送パルスＴＲ１Ｂと次段の転送段４１−２の転送パルスＴＲ２Ｂは、３入力ＮＡＮＤ回路４２にその２入力として与えられる。ＮＡＮＤ回路４２には、残りの１入力としてイネーブルパルスＥＮＢ２が与えられる。イネーブルパルスＥＮＢ２は、イネーブルパルスＥＮＢ１と同じく、垂直クロックパルスＶＣＫの周期の１／４の周期で、かつ垂直クロックパルスＶＣＫのパルス幅の１／４よりも狭いパルス幅を持ち、しかもイネーブルパルスＥＮＢ１に対して位相が１８０度ずれたパルス信号である。
【００３０】
ＮＡＮＤ回路４２の出力パルスは、インバータ４３で反転された後、２入力ＮＡＮＤ回路４４，４５に各一方の入力として与えられる。ＮＡＮＤ回路４４には、他方の入力として垂直クロックパルスｖｃｋが与えられる。ＮＡＮＤ回路３５には、他方の入力として垂直クロックパルスｖｃｋｘが与えられる。垂直クロックパルスｖｃｋ，ｖｃｋｘは、垂直クロックパルスＶＣＫ，ＶＣＫＸに対して位相が９０度ずれたパルス信号である。ＮＡＮＤ回路４４，４５の各出力パルスは、下側画素部１１Ｂの１行目、２行目、全体ではｉ行目＋１、ｉ＋２行目の各行を選択するためのドライブパルスＶｉ＋１，Ｖｉ＋２としてｉ＋１行目、ｉ＋２行目の走査線１４−ｉ＋１，１４−ｉ＋２をそれぞれ駆動する。
【００３１】
続いて、上記構成の垂直駆動回路１２Ａ，１２Ｂの回路動作について、図５のタイミングチャートを用いて説明する。
【００３２】
図５のタイミングチャートは、垂直スタートパルスＶＳＴ、互いに逆相の垂直クロックパルスＶＣＫ，ＶＣＫＸ、シフトレジスタ３１から出力される転送パルスＴＲ１Ａ，ＴＲ２Ａ、シフトレジスタ４１から出力される転送パルスＴＲ１Ｂ，ＴＲ２Ｂ、イネーブルパルスＥＮＢ１，ＥＮＢ２、インバータ３３，４３の各出力パルスＸ１Ａ，Ｘ１Ｂ、互いに逆相の垂直クロックパルスｖｃｋ，ｖｃｋｘ、垂直駆動回路１２Ａから出力されるドライブパルスＶ１，Ｖ２および垂直駆動回路１２Ｂから出力されるドライブパルスＶｉ＋１，Ｖｉ＋２の各タイミング関係を示している。
【００３３】
先ず、垂直スタートパルスＶＳＴが垂直駆動回路１２Ａ，１２Ｂの各シフトレジスタ３１，４１に与えられることにより、これら各シフトレジスタ３１，４１は同時に転送動作（シフト動作）を開始する。この転送動作により、シフトレジスタ３１から転送パルスＴＲ１Ａ，ＴＲ２Ａ，…が順に出力され、シフトレジスタ４１から転送パルスＴＲ１Ｂ，ＴＲ２Ｂ，…が順に出力される。
【００３４】
次に、転送パルスＴＲ１Ａ，ＴＲ２ＡとイネーブルパルスＥＮＢ１との論理積がＮＡＮＤ回路３３でとられることにより、インバータ３３からはイネーブルパルスＥＮＢ１が２個分のパルス信号、即ち２連のパルスＸ１Ａが出力される。同様にして、転送パルスＴＲ１Ｂ，ＴＲ２ＢとイネーブルパルスＥＮＢ２との論理積がＮＡＮＤ回路４３でとられることにより、インバータ４３からはイネーブルパルスＥＮＢ２が２個分のパルス信号、即ち２連のパルスＸ１Ｂが出力される。
【００３５】
次に、インバータ３３の出力パルスＸ１Ａと垂直クロックパルスｖｃｋとの論理積がＮＡＮＤ回路３４でとられることにより、インバータ３６からドライブパルスＶ１が出力され、次いでインバータ３３の出力パルスＸ１Ａと垂直クロックパルスｖｃｋｘとの論理積がＮＡＮＤ回路３５でとられることにより、インバータ３７からドライブパルスＶ２が出力される。
【００３６】
同様にして、インバータ４３の出力パルスＸ１Ｂと垂直クロックパルスｖｃｋとの論理積がＮＡＮＤ回路４４でとられることにより、インバータ４６からドライブパルスＶｉ＋１が出力され、次いでインバータ４３の出力パルスＸ１Ｂと垂直クロックパルスｖｃｋｘとの論理積がＮＡＮＤ回路４５でとられることにより、インバータ４７からドライブパルスＶｉ＋２が出力される。
【００３７】
ここで、イネーブルパルスＥＮＢ１とイネーブルパルスＥＮＢ２とは位相が互いに１８０度ずれていることから、図５のタイミングチャートから明らかなように、垂直駆動回路１２Ａ，１２Ｂからは、ドライブパルスＶ１，Ｖ２，…とドライブパルスＶｉ＋１，Ｖｉ＋２，…とが交互に出力される。すなわち、時間軸上において、ドライブパルスＶ１、ドライブパルスＶｉ＋１、ドライブパルスＶ２、ドライブパルスＶｉ＋２、…の順に出力されることになる。
【００３８】
次に、上記構成の垂直駆動回路１２Ａ，１２Ｂから交互に出力されるドライブパルスＶ１，Ｖ２，…とドライブパルスＶｉ＋１，Ｖｉ＋２，…とを用いて表示駆動を行う場合の動作について説明する。
【００３９】
ここでは、理解を容易にするために、図６に示すように、上側画素部１１Ａについては上部（画面上部Ａ）、中央部、下部（画面中央部Ｂ）をそれぞれ順に垂直走査し、下側画素部１１Ｂについては上部（画面中央部Ｂ）、中央部、下部（画面下部Ｃ）をそれぞれ順に垂直走査して、計６回の垂直走査を行う場合を例に挙げて説明するものとする。このとき、図７に示すように、垂直駆動回路１２ＡからはドライブパルスＶ１，Ｖ２，Ｖ３が、垂直駆動回路１２ＢからはドライブパルスＶ４，Ｖ５，Ｖ６がそれぞれ順に出力される。時間軸上では、ドライブパルスＶ１、ドライブパルスＶ４、ドライブパルスＶ２、ドライブパルスＶ５、ドライブパルスＶ３、ドライブパルスＶ６の順に出力される。
【００４０】
このように、２つの垂直駆動回路１２Ａ，１２Ｂから交互に出力されるドライブパルスＶ１，Ｖ２，…とドライブパルスＶｉ＋１，Ｖｉ＋２，…とを用いて表示駆動を行うことにより、１．上側画素部１１Ａの上部、２．下側画素部１１Ｂの上部、３．上側画素部１１Ａの中央部、４．下側画素部１１Ｂの中央部、５．上側画素部１１Ａの下部、６．下側画素部１１Ｂの下部の順番で行の選択が行われる。
【００４１】
一方、水平駆動回路１３からは、選択された行に対して、１Ｈ毎に極性が反転する映像信号Ｖｓｉｇが信号線１５−１〜１５−ｎを介して書き込まれる。このとき、映像信号Ｖｓｉｇを供給する信号源（図示せず）において、垂直走査の順番に対応して映像信号Ｖｓｉｇの並び替えがあらかじめ行われることは勿論のことである。
【００４２】
かかる表示駆動により、第１フィールドでは、映像信号Ｖｓｉｇの極性が正（＋）、負（−）、…の順に反転するものとすると、図８（Ａ）に示すように、上側画素部１１Ａの各画素には正極性の映像信号Ｖｓｉｇ（＋）のみが書き込まれ、下側画素部１１Ｂの各画素には負極性の映像信号Ｖｓｉｇ（−）のみが書き込まれることになる。また、第２フィールドでは、フィールド反転駆動を実現するために、映像信号Ｖｓｉｇの極性が負、正、…の順に反転する。これにより、図８（Ｂ）に示すように、上側画素部１１Ａの各画素には負極性の映像信号Ｖｓｉｇ（−）のみが書き込まれ、下側画素部１１Ｂの各画素には正極性の映像信号Ｖｓｉｇ（＋）のみが書き込まれることになる。
【００４３】
上記の動作説明から明らかなように、上述した駆動法によれば、選択行の各画素に対して１Ｈごとに極性が反転する映像信号Ｖｓｉｇを書き込むことで１Ｈ反転駆動が実現されるとともに、上側画素部１１Ａおよび下側画素部１１Ｂにおいてはそれぞれ１Ｆ反転駆動が実現されることになる。
【００４４】
上述したように、電気光学素子（本例では、液晶セル２２）を含む画素２０が行列状に２次元配置されてなる画素アレイ部１１を具備するアクティブマトリクス型表示装置において、画素アレイ部１１を垂直方向において複数の領域（本例では、２つの領域１１Ａ，１１Ｂ）に分割する一方、これら複数の領域を行単位で順番に（本例では、交互に）垂直走査しつつ、複数の領域の各画素を行単位で選択し、この選択した行の各画素に対して１Ｈごとに極性が反転する映像信号Ｖｓｉｇを書き込むことにより、次のような作用効果を得ることができる。
【００４５】
すなわち、上側画素部１１Ａおよび下側画素部１１Ｂではそれぞれ１Ｆ反転駆動が実現されることにより、１Ｆ反転駆動法のメリットであるコントラストの向上とＶＡ液晶を用いた長寿命化を図ることができる。なお、上側画素部１１Ａと下側画素部１１Ｂとの境界線部では、原理上は他の部分と同タイミング（常に２Ｈずれ）であるが、システム上垂直ブランキング期間（１５Ｈ〜３０Ｈ）分だけずれるため、カップリングの影響は軽微である。
【００４６】
また、１Ｆ反転駆動法の問題点であるクロストークについては、選択行の各画素２０に対して、１Ｈごとに極性が反転する映像信号Ｖｓｉｇが信号線１５−１〜１５−ｎを通して書き込まれることにより、１画面内でのリーク量が同じになるため、シェーディングは発生しない。
【００４７】
このことについてより具体的に説明するならば、例えば図９に示すように、コモン電圧Ｖｃｏｍが７．５Ｖで、信号線１５−１〜１５−ｎの電位がＨ側１０．０Ｖ／Ｌ側５．０Ｖ（中間調）の場合を例に挙げると、画面上部Ａ、画面中央部Ｂ，Ｃ、画面下部Ｄでリーク期間が同じになり、１画面内でのリーク量が同じになる。その結果、図１０に示すように、シェーディングが発生することはない。なお、図１０における映像信号Ｖｓｉｇの極性は、図８（Ａ）のフィールドの場合を示しており、次のフィールドでは図８（Ｂ）に示すように、正／負の極性が逆になる。
【００４８】
また、カップリングやリークに起因するクロストークについては、カップリング、リーク共に通常の（面内全体に対しての）１Ｆ反転駆動法を採る際の１／２以下となるため、クロストークについても通常の１Ｆ反転駆動法の１／２以下に低減できる。
【００４９】
さらに、ストライプドメインに対して強くなる。ここに、ストライプドメインとは、ある電圧以上で黒表示を一定時間保持した後、グレー表示（グレー画面）にしても黒い線が残り、拡大してみると、ディスクリネーション（結晶格子の平行移動による欠陥）のラインがそのまま残っており、そこから光抜けを乗じて黒線となることを言う。これは、１Ｈ反転駆動法など画素の境界で電位の極性が違うため、液晶の傾きに画素の境界で差が生じる。これに対して、１Ｆ反転駆動法では、画素の境界を挟んでも同電位のため、画素の境界でも液晶の傾きは同じであり、原理上、ストライプドメインは無い。
【００５０】
因みに、図１３に、従来例に係る１Ｆ反転駆動を用いた場合（Ａ）と、本発明に係る１Ｈ＋１Ｆ反転駆動を用いた場合（Ｂ）での画素電位の比較結果を示す。ここでは、上側画素部１１Ａおよび下側画素部１１Ｂでそれぞれ４回、計８回の垂直走査を行う場合を例に挙げている。（Ａ），（Ｂ）いずれの場合も、見た目は１Ｆ反転となっていることからわかる。ただし、本実施形態に係る１Ｈ＋１Ｆ反転駆動を用いた場合（Ｂ）には、７番目−２番目（境界の下）で垂直ブランキング期間分だけ少しずれる。垂直ブランキング期間は１５Ｈ〜３０Ｈ位である。垂直ブランキング期間が１５ＨでＶ（電圧）−Ｔ（透過率）特性５０％のとき、０．５％程度の輝度差となる。
【００５１】
なお、上記実施形態では、画素アレイ部１１を垂直方向において２分割するとともに、垂直駆動手段をこの分割数に対応した２つの垂直駆動回路１２Ａ，１２Ｂで構成するとしたが、画素アレイ部１１を垂直方向において３分割以上に分割することも可能である。その場合には、分割数をＮとすると、垂直駆動回路を分割数に対応した数Ｎだけ設け、垂直スタートパルスＶＳＴおよび垂直クロックパルスＶＣＫの各パルス幅を、画素アレイ部１１を分割せずに１つの垂直駆動回路によって順に走査する際に用いる垂直スタートパルスおよび垂直クロックパルスの各パルス幅に対してＮ倍に設定するとともに、Ｎ個の分割領域を行単位で順番に垂直走査しつつ、Ｎ個の分割領域の各画素を行単位で選択するようにすれば良い。
【００５２】
また、上記実施形態では、画素の電気光学素子として液晶セルを用いた液晶表示装置に適用した場合を例に挙げて説明したが、本発明はこの適用例に限られるものではなく、画素の電気光学素子として有機ＥＬ（(electro luminescence) 素子を用いた有機ＥＬ表示装置など、電気光学素子を含む画素が行列状に２次元配置されてなるアクティブマトリクス型表示装置全般に適用可能である。
【図面の簡単な説明】
【００５３】
【図１】本発明の一実施形態に係るアクティブマトリクス型液晶表示装置の構成の概略を示すブロック図である。
【図２】画素（画素回路）の回路構成の一例を示す回路図である。
【図３】上側の垂直駆動回路の構成の一例を示すブロック図である。
【図４】下側の垂直駆動回路の構成の一例を示すブロック図である。
【図５】上側、下側の垂直駆動回路の回路動作の説明に供するタイミングチャートである。
【図６】表示駆動における垂直走査の順番を示す動作説明図である。
【図７】表示駆動における走査タイミングを示すタイミングチャートである。
【図８】第１フィールド（Ａ）と第２フィールド（Ｂ）の画素電位の極性を示す図である。
【図９】シェーディングが発生しないことについての説明に供するタイミングチャートである。
【図１０】中間調ラスター表示でシェーディングが発生しないことを示す図である。
【図１１】中間調ラスター表示でシェーディングが発生することを示す図である。
【図１２】従来技術の課題の説明に供するタイミングチャートである。
【図１３】従来例に係る１Ｆ反転駆動を用いた場合（Ａ）と、本発明に係る１Ｈ＋１Ｆ反転駆動を用いた場合（Ｂ）での画素電位の比較結果を示す図である。
【符号の説明】
【００５４】
１１…画素アレイ部、１２Ａ，１２Ｂ…垂直駆動回路、１３…水平駆動回路、１４，１４−１〜１４−ｍ…走査線、１５，１５−１〜１５−ｎ…信号線、１６…コモン線、２０…画素、２１…ＴＦＴ（画素トランジスタ）、２２…液晶セル、２３…保持容量、３１，４１…シフトレジスタ
【図１】
2005338152.tif 000003
【図２】
2005338152.tif 000004
【図３】
2005338152.tif 000005
【図４】
2005338152.tif 000006
【図５】
2005338152.tif 000007
【図６】
2005338152.tif 000008
【図７】
2005338152.tif 000009
【図８】
2005338152.tif 000010
【図９】
2005338152.tif 000011
【図１２】
2005338152.tif 000012
【図１３】
2005338152.tif 000013
【図１０】
2005338152.tif 000014
【図１１】
2005338152.tif 000015
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
電気光学素子を含む画素が行列状に２次元配置され、垂直方向において複数の領域に分割されてなる画素アレイ部と、
前記複数の領域を行単位で順番に垂直走査しつつ、前記複数の領域の各画素を行単位で選択する垂直駆動手段と、
前記垂直駆動手段によって選択された行の各画素に対して１水平期間ごとに極性が反転する映像信号を書き込む水平駆動手段と
を備えたことを特徴とする表示装置。
【請求項２】
前記画素アレイ部が垂直方向においてＮ個（Ｎは２以上の整数）に分割されており、
前記垂直駆動手段は、Ｎ個の垂直駆動回路を有し、
前記Ｎ個の垂直駆動回路は、前記画素アレイ部を分割せずに順に走査する際に用いる第１の垂直スタートパルスおよび第１の垂直クロックパルスの各パルス幅に対してＮ倍のパルス幅を持つ第２の垂直スタートパルスおよび第２の垂直駆動クロックに基づいて、前記画素を行単位で選択するためのドライブパルスを順に発生する
ことを特徴とする請求項１記載の表示装置。
【請求項３】
Ｎ＝２であり、２つの垂直駆動回路は各々、
前記第２の垂直スタートパルスに応答して前記第２の垂直駆動クロックに同期して転送動作を行い、各転送段から転送パルスを順次出力するシフトレジスタと、
前記シフトレジスタから出力される自段の転送パルスおよび次段の転送パルスと、前記第２の垂直クロックパルスの周期の１／２Ｎの周期で、かつ前記第２の垂直クロックパルスのパルス幅の１／２Ｎよりも狭いパルス幅のイネーブルパルスとの論理積をとる第１の論理積回路群と、
前記第２の垂直クロックパルスに対して周期が同じで、位相が９０度ずれた互いに逆相の第３の垂直クロックパルスの各々と前記第１の論理積回路群の各出力パルスとの論理積をとる第２の論理積回路群とを有し、
前記イネーブルパルスは、前記２つの垂直駆動回路間で位相が１８０度ずれている
ことを特徴とする請求項２記載の表示装置。
【請求項４】
電気光学素子を含む画素が行列状に２次元配置され、垂直方向において複数の領域に分割されてなる画素アレイ部を有する表示装置に対し、１フィールド期間ごとに極性が反転する映像信号を書き込んで１フィールド反転駆動する駆動方法であって、
前記複数の領域を行単位で順番に垂直走査しつつ、前記複数の領域の各画素を行単位で選択する第１のステップと、
前記第１のステップで選択した行の各画素に対して１水平期間ごとに極性が反転する映像信号を書き込む第２のステップと
を有することを特徴とする表示装置の駆動方法。
【請求項５】
前記第１のステップでは、前記複数の領域を行単位で交互に走査しつつ、前記複数の領域の各画素を選択し、
前記第２のステップでは、前記第１のステップで選択した行の各画素に対して水平期間ごとに極性が反転する映像信号を書き込む
ことを特徴とする請求項４記載の表示装置の駆動方法。